(57)【特許請求の範囲】
【請求項１】
被写体を撮像して画像データを出力する撮像手段と、
この撮像手段から出力される画像データを表示する表示手段と、
複数種類の印刷媒体のサイズの中から１つを選択する選択手段と、
前記画像データが印刷媒体に印刷された際の実サイズを示すサイズガイドを前記表示手段に表示させると共に、前記選択手段にて選択された印刷媒体サイズに応じて前記サイズガイドの縮尺又は倍尺を調整する表示制御手段と
を備えることを特徴とする撮像装置。
【請求項２】
被写体を撮像して画像データを出力する撮像手段と、
この撮像手段から出力される画像データを表示する表示手段と、
複数種類の外部モニタサイズの中から１つを選択する選択手段と、
前記画像データが外部モニタに表示された際の実サイズを示すサイズガイドを前記表示手段に表示させると共に、前記選択手段にて選択された外部モニタサイズに応じて前記サイズガイドの縮尺又は倍尺を調整する表示制御手段と
を備えることを特徴とする撮像装置。
【請求項３】
被写体を撮像して画像データを出力する撮像手段と、
この撮像手段から出力される画像データを表示する表示手段と、
複数種類の印刷媒体のサイズの中から１つを選択するサイズ選択手段と、
前記画像データを縮小又は拡大する倍率を、複数種類の中から１つ選択する倍率選択手段と、
前記画像データが印刷媒体に印刷された際の実サイズを示すサイズガイドを前記表示手段に表示させると共に、前記サイズ選択手段にて選択された印刷媒体サイズ及び前記倍率選択手段にて選択された倍率に応じて、前記サイズガイドの縮尺又は倍尺を調整する表示制御手段と
を備えることを特徴とする撮像装置。
【請求項４】
被写体を撮像して画像データを出力する撮像手段と、
この撮像手段から出力される画像データを表示する表示手段と、
複数種類の外部モニタサイズの中から１つを選択するサイズ選択手段と、
前記画像データを縮小又は拡大する倍率を、複数種類の中から１つ選択する倍率選択手段と、
前記画像データが外部モニタに表示された際の実サイズを示すサイズガイドを前記表示手段に表示させると共に、前記サイズ選択手段にて選択された外部モニタサイズ及び前記倍率選択手段にて選択された倍率に応じて、前記サイズガイドの縮尺又は倍尺を調整する表示制御手段と
を備えることを特徴とする撮像装置。
【請求項５】
被写体を撮像して画像データを出力する撮像手段と、この撮像手段から出力される画像データを表示する表示手段と、複数種類の印刷媒体のサイズの中から１つを選択する選択手段とを備える撮像装置が有するコンピュータを、
前記画像データが印刷媒体に印刷された際の実サイズを示すサイズガイドを前記表示手段に表示させると共に、前記選択手段にて選択された印刷媒体サイズに応じて前記サイズガイドの縮尺又は倍尺を調整する表示制御手段として機能させることを特徴とする撮像制御プログラム。
【請求項６】
被写体を撮像して画像データを出力する撮像手段と、この撮像手段から出力される画像データを表示する表示手段と、複数種類の外部モニタサイズの中から１つを選択する選択手段とを備える撮像装置が有するコンピュータを、
前記画像データが外部モニタに表示された際の実サイズを示すサイズガイドを前記表示手段に表示させると共に、前記選択手段にて選択された外部モニタサイズに応じて前記サイズガイドの縮尺又は倍尺を調整する表示制御手段として機能させることを特徴とする撮像制御プログラム。
【請求項７】
被写体を撮像して画像データを出力する撮像手段と、この撮像手段から出力される画像データを表示する表示手段と、複数種類の印刷媒体の中から１つを選択するサイズ選択手段と、前記画像データを縮小又は拡大する倍率を複数種類の中から１つ選択する倍率選択手段とを備える撮像装置が有するコンピュータを、
前記画像データが印刷媒体に印刷された際の実サイズを示すサイズガイドを前記表示手段に表示させると共に、前記サイズ選択手段にて選択された印刷媒体及び前記倍率選択手段にて選択された倍率に応じて、前記サイズガイドの縮尺又は倍尺を調整する表示制御手段として機能させることを特徴とする撮像制御プログラム。
【請求項８】
被写体を撮像して画像データを出力する撮像手段と、この撮像手段から出力される画像データを表示する表示手段と、複数種類の外部モニタサイズの中から１つを選択するサイズ選択手段と、前記画像データを縮小又は拡大する倍率を複数種類の中から１つ選択する倍率選択手段とを備える撮像装置が有するコンピュータを、
前記画像データが外部モニタに表示された際の実サイズを示すサイズガイドを前記表示手段に表示させると共に、前記サイズ選択手段にて選択された外部モニタサイズ及び前記倍率選択手段にて選択された倍率に応じて、前記サイズガイドの縮尺又は倍尺を調整する表示制御手段として機能させることを特徴とする撮像制御プログラム。
【発明の詳細な説明】
【技術分野】
【０００１】
本発明は、印刷される画像又は外部表示される画像の画像サイズに応じた目盛や枠等のサイズガイドをスルー画像上に表示させる撮像装置及び撮像制御プログラムに関する。
【背景技術】
【０００２】
従来、所謂電子カメラにおいては、スルー画像上に枠を表示させるものが提案されている。この電子カメラは、操作部での操作により証明写真の種類が選択されると、その証明写真の横縦サイズに対応した証明写真用の枠が合成された被写体像をモニタに表示させる。そして撮影指示がなされると、被写体像の画像データをメモリに記録するとともに、証明写真用の枠の情報も併せて記録する（例えば、特許文献１参照。）。
【特許文献１】特開２０００−３５８２０６号公報
【発明の開示】
【発明が解決しようとする課題】
【０００３】
しかしながら、電子カメラにより記録された画像データに基づき画像をプリントするプリンターにあっては、Ｌサイズ、Ａ４サイズ、Ｂ５サイズ等のサイズの異なる用紙に印刷可能であるもの、あるいは所定サイズの用紙（例えばＬサイズの用紙）にのみ印刷可能であるもの等が存在する。前者にあっては、印刷用紙が選択されると、選択された用紙のほぼ全面に亘って画像を印刷し、後者にあっても、所定サイズの用紙のほぼ全面に亘って画像を印刷する。
【０００４】
したがって、撮影時に使用する種類の証明写真を選択して撮影を行い、その画像データを前記プリンターで印刷した場合、選択された用紙のサイズや当該プリンター専用の用紙のサイズによっては、選択した証明写真の横縦サイズよりも小さい枠で囲まれた写真や大きい枠で囲まれた写真が印刷されてしまい、使用可能な規定のサイズからなる証明写真をプリントすることができない。つまり、印刷される大きさの画像において所望部分が所望の大きさで収まった画像を得ることができない。
【０００５】
本発明は、このような従来の課題に鑑みてなされたものであり、所望部分が所望の大きさで収まった画像を印刷あるいは外部表示できるように撮像を行うことのできる撮像装置及び撮像制御プログラムを提供することを目的とするものである。
【課題を解決するための手段】
【０００６】
前記課題を解決するために請求項１記載の発明に係る撮像装置にあっては、被写体を撮像して画像データを出力する撮像手段と、この撮像手段から出力される画像データを表示する表示手段と、複数種類の印刷媒体のサイズの中から１つを選択する選択手段と、前記画像データが印刷媒体に印刷された際の実サイズを示すサイズガイドを前記表示手段に表示させると共に、前記選択手段にて選択された印刷媒体サイズに応じて前記サイズガイドの縮尺又は倍尺を調整する表示制御手段とを備える。
【０００８】
また、請求項２記載の発明に係る撮像装置にあっては、被写体を撮像して画像データを出力する撮像手段と、この撮像手段から出力される画像データを表示する表示手段と、複数種類の外部モニタサイズの中から１つを選択する選択手段と、前記画像データが外部モニタに表示された際の実サイズを示すサイズガイドを前記表示手段に表示させると共に、前記選択手段にて選択された外部モニタサイズに応じて前記サイズガイドの縮尺又は倍尺を調整する表示制御手段とを備える。
【００１０】
また、請求項３記載の発明に係る撮像装置にあっては、被写体を撮像して画像データを出力する撮像手段と、この撮像手段から出力される画像データを表示する表示手段と、複数種類の印刷媒体のサイズの中から１つを選択するサイズ選択手段と、前記画像データを縮小又は拡大する倍率を、複数種類の中から１つ選択する倍率選択手段と、前記画像データが印刷媒体に印刷された際の実サイズを示すサイズガイドを前記表示手段に表示させると共に、前記サイズ選択手段にて選択された印刷媒体サイズ及び前記倍率選択手段にて選択された倍率に応じて、前記サイズガイドの縮尺又は倍尺を調整する表示制御手段とを備える。
【００１２】
また、請求項４記載の発明に係る撮像装置にあっては、被写体を撮像して画像データを出力する撮像手段と、この撮像手段から出力される画像データを表示する表示手段と、複数種類の外部モニタサイズの中から１つを選択するサイズ選択手段と、前記画像データを縮小又は拡大する倍率を、複数種類の中から１つ選択する倍率選択手段と、前記画像データが外部モニタに表示された際の実サイズを示すサイズガイドを前記表示手段に表示させると共に、前記サイズ選択手段にて選択された外部モニタサイズ及び前記倍率選択手段にて選択された倍率に応じて、前記サイズガイドの縮尺又は倍尺を調整する表示制御手段とを備える。
【００１３】
また、請求項５記載の発明に係る撮像制御プログラムにあっては、被写体を撮像して画像データを出力する撮像手段と、この撮像手段から出力される画像データを表示する表示手段と、複数種類の印刷媒体のサイズの中から１つを選択する選択手段とを備える撮像装置が有するコンピュータを、前記画像データが印刷媒体に印刷された際の実サイズを示すサイズガイドを前記表示手段に表示させると共に、前記選択手段にて選択された印刷媒体サイズに応じて前記サイズガイドの縮尺又は倍尺を調整する表示制御手段として機能させる。
【００１４】
また、請求項６記載の発明に係る撮像制御プログラムにあっては、被写体を撮像して画像データを出力する撮像手段と、この撮像手段から出力される画像データを表示する表示手段と、複数種類の外部モニタサイズの中から１つを選択する選択手段とを備える撮像装置が有するコンピュータを、前記画像データが外部モニタに表示された際の実サイズを示すサイズガイドを前記表示手段に表示させると共に、前記選択手段にて選択された外部モニタサイズに応じて前記サイズガイドの縮尺又は倍尺を調整する表示制御手段として機能させる。
【００１５】
また、請求項７記載の発明に係る撮像制御プログラムにあっては、被写体を撮像して画像データを出力する撮像手段と、この撮像手段から出力される画像データを表示する表示手段と、複数種類の印刷媒体の中から１つを選択するサイズ選択手段と、前記画像データを縮小又は拡大する倍率を複数種類の中から１つ選択する倍率選択手段とを備える撮像装置が有するコンピュータを、前記画像データが印刷媒体に印刷された際の実サイズを示すサイズガイドを前記表示手段に表示させると共に、前記サイズ選択手段にて選択された印刷媒体及び前記倍率選択手段にて選択された倍率に応じて、前記サイズガイドの縮尺又は倍尺を調整する表示制御手段として機能させる。
【００１７】
また、請求項８記載の発明に係る撮像制御プログラムにあっては、被写体を撮像して画像データを出力する撮像手段と、この撮像手段から出力される画像データを表示する表示手段と、複数種類の外部モニタサイズの中から１つを選択するサイズ選択手段と、前記画像データを縮小又は拡大する倍率を複数種類の中から１つ選択する倍率選択手段とを備える撮像装置が有するコンピュータを、前記画像データが外部モニタに表示された際の実サイズを示すサイズガイドを前記表示手段に表示させると共に、前記サイズ選択手段にて選択された外部モニタサイズ及び前記倍率選択手段にて選択された倍率に応じて、前記サイズガイドの縮尺又は倍尺を調整する表示制御手段として機能させる。
【発明の効果】
【００２３】
以上説明したように本発明によれば、撮影者は、表示手段のサイズガイドを見ながら被写体の所望部分がある範囲に収まるように、撮像装置の向き、あるいは被撮影者からの距離等を調整することにより、印刷又は外部表示されるサイズの画像において被写体の所望部分が所望の大きさで収まった状態での撮影記録が可能となる。
【発明を実施するための最良の形態】
【００２６】
以下、本発明の一実施の形態を図に従って説明する。
（第１の実施の形態）
図１は本発明の各実施の形態に共通するカメラ付き携帯電話機（以下、カメラ付き携帯と称する）１の概略構成を示すブロック図である。このカメラ付き携帯１は、デジタルカメラ機能と携帯電話機能とを併有するものであって、レンズユニット２を有し、このレンズユニット２の後方には、ＣＣＤからなる撮像素子３が配置されている。この撮像素子３からの出力信号は信号処理回路４により画質モードに応じて処理され、ＣＰＵ５に取り込まれる。ＣＰＵ５には、前記撮像素子３、時計部６、ビデオＲＡＭ７が接続されているとともに、キー入力部８、ＲＯＭ１０、ＲＡＭ１１、メモリカード１２、及びＩ／Ｏポート９が接続されている。
【００２７】
時計部６は、現在年月日及び時刻を計時するものである。キー入力部８には、電源のオン・オフ時に操作される電源キー、電話番号を入力する際やメール作成時に使用される複数の文字キー、画像をメモリカード１２に記憶させる際に操作されるシャッターボタン等の、一般的なカメラ付き携帯に配置されている各種キーや後述するフローチャートに示す各種キーが設けられている。ＲＯＭ１０にはＣＰＵ５のプログラムや、ビザ用、パスポート用等の証明写真の横縦サイズ、Ｌサイズ、Ａ４サイズ等の印刷用紙の横縦サイズである印刷サイズ、及び各種外部モニタの画面横縦サイズであるモニタサイズ等が記憶されている。ＣＰＵ５は、前記プログラムに基づき動作し、ＲＡＭ１１をワークメモリとして使用して各部の制御を行う。メモリカード１２は着脱自在であって、撮影モードで生成された被写体画像データ等を記録するメモリであり、Ｉ／Ｏポート９は、メモリカード１２に記録された画像データ等をシリアルＩ／Ｏ端子１５を介して、外部のプリンターあるいはモニタに出力するインタフェースである。
【００２８】
また、ＲＡＭ１１は、撮像素子３により撮像された後、信号処理回路４によりデジタル化された被写体の画像データを一時保存するバッファとしても使用される。シャッターボタンの操作時にＲＡＭ１１に一時保存された画像データは、ＣＰＵ５による撮影処理により圧縮（符号化）が行われ、最終的には所定のフォーマット（ＪＰＥＧ方式等）を備えた静止画データとしてメモリカード１２に記録される。なお、本実施の形態においては、メモリカード１２へ記録する画像の画像サイズはユーザが選択して設定することが可能である。
【００２９】
ビデオＲＡＭ７には、サイズガイドモードと撮影モードの状態においては、信号処理回路４で処理された撮像素子３からの出力信号に基づく被写体画像の画像データが所定のタイミング毎に格納される。この画像データに基づき、表示回路１３が表示部１４を駆動することにより、レンズユニット２により撮像素子３上に結像された被写体画像がスルー画像としてＬＣＤからなる表示部１４にて表示される。また、再生モードの状態においては、メモリカード１２から読み出された画像データが格納され、この画像データに基づき、表示回路１３が表示部１４を駆動することにより、記録されている画像データに基づく画像が表示部１４にて表示される。表示部１４は、カラーＬＣＤであって、本実施の形態においては解像度（横縦）は６４０×４８０（ｄｏｔ）である。
【００３０】
無線送受信部２０は、アンテナ２１を介してＣＤＭＡ方式の無線信号を受信し、後段の無線信号処理部２２に出力する一方、無線信号処理部２２から入力された各種データを無線信号に変調してアンテナ２１より出力する。無線信号処理部２２は、無線送受信部２０で受信した各種データを復調して、パケット送信されたデータ（メールデータや画像データ）を、ＲＡＭ１１に出力する一方、送信の際には、送信するためのデータを変調するなどの無線通信に必要な処理をする。音声処理部２３は、無線信号処理部２２で復調された音声データに基づきあるいは着信時に、スピーカ２４を駆動するとともに、マイク２５から入力された音声を電気信号に変換して無線信号処理部２２に供給する。
【００３１】
以上の構成に係る本実施の形態において、ユーザがキー入力部８でモード設定キーを操作することにより、撮影モードとしてサイズガイドモードを選択すると、ＣＰＵ５はＲＯＭ１０に記憶されているプログラムに基づき、図２に示すフローチャートに従って制御を実行する。先ず、予めユーザのキー入力部８での操作により設定されているメモリカード１２へ記録する画像サイズを取得する（ステップＳ１０１）。すなわち、この実施の形態においては前述のように、メモリカード１２へ記録する画像の横縦ドット数である画像サイズをユーザが選択して設定可能であり、したがって、例えば選択設定されている画像サイズが２０４８×１５３６（ｄｏｔ）であるならば、これを取得する。
【００３２】
次に、撮影した画像を印刷する際の印刷サイズ又は外部モニタで表示する際のモニタサイズを取得する（ステップＳ１０２）。このステップＳ１０２での処理に際しては、図３に示すように、表示部１４に「１．Ｌサイズ」〜・・・の印刷サイズ選択メニューと、「１．Ａ×Ｂ（ｍｍ）」のモニタサイズ選択画面とを表示し（Ａ，Ｂ等は実数値）、ユーザがキー入力部８の操作によりこの選択メニューの中からいずれか一つを選択すると、この選択したサイズに決定してＲＡＭ１１に記憶する。このとき、当該ユーザが所有しているプリンターが、例えばＡ４サイズの用紙にのみ印刷可能であるＡ４サイズ専用プリンターである場合には、「２．Ａ４サイズ」を選択する。
【００３３】
引き続き、印刷される画像の１ｍｍ当たりの（記録）ドット数を演算する（ステップＳ１０３）。すなわち、前記ステップＳ１０１で取得されたメモリカード１２へ記録する画像サイズは２０４８×１５３６（ｄｏｔ）であり、また、ステップＳ１０２で取得された印刷サイズがＡ４サイズ（２８０×２１０（ｍｍ））であるとすると、印刷する画像１ｍｍ当たりの（記録）ドット数は、
１ｍｍ＝２０４８／２８０＝７．３１４（ｄｏｔ）
となり、この「７．３１４（ｄｏｔ）」を印刷１ｍｍ当たりのドット数として算出する。
【００３４】
次に、このステップＳ１０３で演算した印刷１ｍｍ当たりのドット数を、表示部１４における表示ドット数に換算する（ステップＳ１０４）。つまり、前述のように、表示部１４の表示解像度は６４０×４８０（ｄｏｔ）であるので、印刷１ｍｍ当たりのドット数を表示部１４の表示１ｍｍ当たりのドット数に換算すると、
１ｍｍ＝７．３１４×６４０／２０４８＝２．２８５（ｄｏｔ）
となる。さらに、これを表示１ｃｍ当たりのドット数に換算すると、２２.８（ｄｏｔ）となり、表示５ｃｍ当たりのドット数に換算すると、１１４（ｄｏｔ）となる。
【００３５】
そして、スルー画像上に、ステップＳ１０４での換算結果に基づくガイド目盛を表示する（ステップＳ１０５）。すなわち、前述のようにビデオＲＡＭ７には、サイズガイドモードの状態においては、信号処理回路４で処理された撮像素子３からの出力信号に基づく被写体画像の画像データが所定のタイミング毎に格納される。この画像データに基づき、表示回路１３が表示部１４を駆動することにより、レンズユニット２により撮像素子３上に結像された被写体画像がスルー画像としてＬＣＤからなる表示部１４にて表示される。そして、この表示部１４に表示されたスルー画像上に前記ステップＳ１０４で換算したドット数、例えば図４（ａ）に示すように、１１４ドット毎に５ｃｍであることを示す目盛からなる横目盛１４１と縦目盛１４２とで構成される交差目盛１４０を表示させる。
【００３６】
次に、シャッターボタンが押下されるまで待機し（ステップＳ１０６）、その間撮影者は、表示部１４の交差目盛１４０の目盛が印刷時には５ｃｍであることを考慮しながらスルー画像の所望部分が所望の大きさで収まるように、カメラ付き携帯１の向き、あるいは被撮影者（被撮影物）からの距離等を調整する。そして、スルー画像の所望部分が所望の大きさで収まった状態で撮影者がシャッターボタンを操作すると（ステップＳ１０６；ＹＥＳ）、前述した撮影処理を実行し（ステップＳ１０７）、記録する画像として目盛付きが予めユーザに選択されていたか否かを判断する（ステップＳ１０８）。
【００３７】
目盛付きが選択されていた場合には、スルー画像上に交差目盛１４０が配置された撮影画像の画像データをメモリカード１２に記録するとともに、この画像データと関連付けてステップＳ１０２で取得された印刷サイズ情報もメモリカード１２に記録する（ステップＳ１０９）。また、目盛付きが選択されていなかった場合には、撮影画像の画像データをメモリカード１２に記録するとともに、この画像データと関連付けてステップＳ１０２で取得された印刷サイズ情報をメモリカード１２に記録する（ステップＳ１１０）。
【００３８】
そして、このようにして証明写真の撮影が終了したならば、カメラ付き携帯１からメモリカード１２を取り外し、ユーザが所有するプリンターにセットする。若しくは、カメラ付き携帯１にメモリカード１２を装着した状態で、Ｉ／Ｏ端子１５にユーザが所有するプリンターを接続し、Ｉ／Ｏポート９及びシリアルＩ／Ｏ端子１５を介して、メモリカード１２に記録されている画像データをプリンターに出力する。
【００３９】
ここで、当該ユーザが所有しているプリンターが本例のように、Ａ４サイズ専用プリンターである場合には、プリンターは前述したＡ４サイズで画像データに基づく画像を印刷する。このとき、本例においてはステップＳ１０２での処理により、印刷サイズとしてＡ４が取得されていることから、Ａ４サイズの紙面上には、Ａ４サイズの大きさの画像において所望部分が所望の大きさで収まった画像が印刷されることとなる。
【００４０】
また、使用するプリンターがＬサイズ、Ａ４サイズ、Ｂ５サイズ等のサイズの異なる用紙に印刷可能なものである場合には、メモリカード１２に画像データと関連付けて記録されている印刷サイズ情報に基づき、プリンターが当該印刷サイズで印刷を行う。したがって、前述と同様に、印刷された画像上には、所望部分が所望の大きさで収まった画像が出現することとなる。
【００４１】
したがって、例えばＡ４サイズの印刷で１０×１０ｃｍの証明写真を作成する場合には、図４（ｂ）に示すように、ユーザは交差目盛１４０の１０ｃｍの位置を結ぶ枠１４３を想定し、この枠１４３内に適正な大きさ及び範囲で被撮影者の上半身が収まった状態でシャッターボタンを操作すれば、適正な大きさ（１０×１０ｃｍ）及び範囲で被撮影者の上半身が収まった画像を印刷することができる。
【００４２】
また、ステップＳ１１１では、ユーザによるキー入力部８での操作によって送信指示があったか否かを判断する（ステップＳ１１１）。送信指示があった場合には、前記ステップＳ１０９又はＳ１１０でメモリカード１２に記録した全データを、ネットワークを介して、所定の送信先に送信する（ステップＳ１１２）。したがって、このデータを受信した受信者にあっても、前述と同様にして、Ａ４サイズの紙面上に、Ａ４サイズの大きさの画像において（送信者の）所望部分が所望の大きさで収まった画像を印刷することが可能となる。
【００４３】
なお、以上の説明においては、ステップＳ１０２で印刷サイズを取得した場合を示したが、モニタサイズを取得した場合には、モニタに表示する画像１ｍｍ当たりドット数を演算する（ステップＳ１０３）。次に、取得したモニタサイズと表示部１４の表示画面サイズとのサイズ比に基づき、ステップＳ１０３で演算した当該モニタ表示１ｍｍ当たりのドット数を、表示部１４における表示ドット数に換算する（ステップＳ１０４）。さらに、ステップＳ１０５で、前記ステップＳ１０４での換算結果に基づくガイド目盛を表示し、ステップＳ１０６〜Ｓ１１２で同様の処理を実行する。
【００４４】
そして、同様に証明写真の撮影が終了したならば、カメラ付き携帯１からメモリカード１２を取り外し、前記ユーザが選択したサイズのモニタを有する画像再生装置等にセットする。若しくは、カメラ付き携帯１にメモリカード１２を装着した状態で、Ｉ／Ｏ端子１５に前記画像再生装置を接続し、Ｉ／Ｏポート９及びシリアルＩ／Ｏ端子１５を介して、メモリカード１２に記録されている画像データをモニタに出力する。これにより、このモニタには、当該モニタサイズの大きさの画像において所望部分が所望の大きさで収まった画像が表示されることとなる。
【００４５】
なお、本実施の形態においては、ステップＳ１０５での処理により、サイズガイドとして表示部１４の中央部に交差目盛１４０を表示させるようにしたが、サイズガイドはこれに限らず、表示部１４の側部に目盛を表示したり、図４（ａ）に示した目盛の各数値を結ぶ枠を表示したり、あるいは当該印刷サイズにおけるビザ用、パスポート用等の証明写真の横縦サイズを目盛や枠で表示するもの等であってもよい。
【００４６】
（第２の実施の形態）
図５は、本発明の第２の実施の形態における処理手順を示すフローチャートである。このフローチャートにおいて、ステップＳ２０１〜Ｓ２０５の処理、及びステップＳ２０８〜Ｓ２１４の処理は、図２に示したフローチャートにおける全ステップＳ１０１〜Ｓ１１２と同様の処理であり、ステップＳ２０６及びステップＳ２０７の処理のみが異なる。
【００４７】
そして、ステップＳ２０６においては、ユーザによるキー入力部８での操作により縮小、拡大指示があったか否かを判断する。つまり、ユーザは撮影後に画像を縮小印刷（表示）したり拡大印刷（表示）する予定であるか否かを考慮して、縮小印刷する予定である場合には、キー入力部８での操作により縮小倍率値を入力して縮小指示し、拡大印刷する予定である場合には拡大倍率値を入力して拡大指示する。これにより、ステップＳ２０６の判断がＹＥＳになると、ステップＳ２０７で縮小、拡大倍率に応じてガイドスケールの目盛のスケールを変更する。
【００４８】
したがって、図４（ａ）に示したように、１１４ドット毎に５ｃｍであることを示す目盛からなる横目盛１４１と縦目盛１４２とで構成される交差目盛１４０が状態において、例えば縮小率１／２倍を指示すると、交差目盛１４０のスケールは２倍になり、２２８ドット毎に５ｃｍであることを示す目盛からなる横目盛１４１と縦目盛１４２とで構成される交差目盛１４０に変更される。また、例えば拡大率２倍を指示すると、交差目盛１４０のスケールは１／２倍になり、５７ドット毎に５ｃｍであることを示す目盛からなる横目盛１４１と縦目盛１４２とで構成される交差目盛１４０に変更される。
【００４９】
そこで、撮影者は表示部１４の交差目盛１４０の目盛が印刷時には５ｃｍであることを考慮しながらスルー画像の所望部分が所望の大きさで収まるように、カメラ付き携帯１の向き、あるいは被撮影者（被撮影物）からの距離等を調整する。そして、スルー画像の所望部分が所望の大きさで収まった状態で撮影者がシャッターボタンを操作すると（ステップＳ２０８；ＹＥＳ）、前述した撮影処理を実行し（ステップＳ２０９）、記録する画像として目盛付きが予めユーザに選択されていたか否かを判断する（ステップＳ２１０）。
【００５０】
目盛付きが選択されていた場合には、スルー画像上に交差目盛１４０が配置された撮影画像の画像データをメモリカード１２に記録するとともに、この画像データと関連付けてステップＳ２０２で取得された印刷サイズ情報及びステップＳ２０７で用いた縮小、拡大倍率をメモリカード１２に記録する（ステップＳ２１１）。また、目盛付きが選択されていなかった場合には、撮影画像の画像データをメモリカード１２に記録するとともに、この画像データと関連付けてステップＳ２０２で取得された印刷サイズ情報及びステップＳ２０７で用いた縮小、拡大倍率をメモリカード１２に記録する（ステップＳ１１０）。  また、ステップＳ２１３では、ユーザによるキー入力部８での操作によって送信指示があったか否かを判断する。送信指示があった場合には、前記ステップＳ２１１又はＳ２１２でメモリカード１２に記録した全データを、ネットワークを介して、所定の送信先に送信する（ステップＳ２１４）。
【００５１】
したがって、本実施の形態によれば撮影後ユーザがメモリカード１２に記録されている画像データに基づく画像を前記指示した縮小、拡大倍率で、撮影画像をプリンタで印刷しあるいはモニタに表示させた際には、画像における所望の部分が所望の縮小、拡大倍率で印刷、表示された画像を得ることができる。
【００５２】
（第３の実施の形態）
図６は、本発明の第３の実施の形態における処理手順を示すフローチャートである。電源オン状態になると、ＣＰＵ５はＲＯＭ１０に記憶されているプログラムに基づき、このフローチャートに従って制御を実行する。すなわち、ユーザがキー入力部８で所望の画質モード（高画質モードと低画質モードとのいずれか）を選択することにより画質モード設定操作を行うと、選択された画質モードが設定される（ステップＳ３０１）。また、ユーザがキー入力部８で所望の撮影モードを選択することにより撮影モード設定操作を行うと、選択された撮影モードが設定される（ステップＳ３０２）。さらに撮影モードのうち証明写真モードが選択されたか否かを判断し（ステップＳ３０３）、証明写真モードが選択されなかった場合には、選択された撮影モードに応じた撮影処理に移行する。
【００５３】
また、証明写真モードが選択された場合には、証明写真の種類を選択する処理を実行する（ステップＳ３０４）。すなわち、表示部１４に図７（ａ）に示した証明写真選択メニューを表示して、ユーザがキー入力部８の操作によりこの証明写真選択メニューの中からいずれか一つを選択すると、この選択した証明写真の種類に決定してＲＡＭ１１に記憶する。
【００５４】
次に、前記ステップＳ３０１で選択された画質モードにおいてメモリカード１２へ記録する画像サイズを取得する（ステップＳ３０５）。したがって、例えば選択設定されている画質モードにおける画像サイズが２０４８×１５３６（ｄｏｔ）であるならば、これを取得する。
【００５５】
次に、撮影した画像を印刷する際の印刷サイズを取得する（ステップＳ３０６）。このステップＳ３０６での処理に際しては、図７（ｂ）に示したように、表示部１４に「１．Ｌサイズ」〜・・・の印刷サイズ選択メニューを表示し、ユーザがキー入力部８の操作によりこの選択メニューの中からいずれか一つを選択すると、この選択したサイズに決定してＲＡＭ１１に記憶する。このとき、当該ユーザが所有しているプリンターが、例えばＡ４サイズの用紙にのみ印刷可能であるＡ４サイズ専用プリンターである場合には、「２．Ａ４サイズ」を選択する。  引き続き、印刷される画像の１ｍｍ当たりの（記録）ドット数を演算する（ステップＳ３０７）。すなわち、前記ステップＳ３０５で取得されたメモリカード１２へ記録する画像サイズは２０４８×１５３６（ｄｏｔ）であり、また、ステップＳ３０６で取得された印刷サイズが、２８０×２１０（ｍｍ）であるとすると、印刷する画像１ｍｍ当たりの（記録）ドット数は、
１ｍｍ＝２０４８／２８０＝７．３１４（ｄｏｔ）
となり、この「７．３１４（ｄｏｔ）」を印刷１ｍｍ当たりのドット数として算出する。
【００５６】
次に、このステップＳ１０３で演算した印刷１ｍｍ当たりのドット数を、表示部１４における表示ドット数に換算する（ステップＳ３０８）。つまり、前述のように、表示部１４の表示解像度は６４０×４８０（ｄｏｔ）であるので、印刷１ｍｍ当たりのドット数を表示部１４の表示１ｍｍ当たりのドット数に換算すると、
１ｍｍ＝７．３１４×６４０／２０４８＝２．２８５（ｄｏｔ）
となる。さらに、これを表示１ｃｍ当たりのドット数に換算すると、約２２（ｄｏｔ）となる。
【００５７】
次に、選択された証明写真用のガイド目盛を、現在設定されている画質モード及び印刷サイズに応じた長さでスルー画像上に（ガイダンスを伴って）表示する（ステップＳ３０９）。すなわち、ビデオＲＡＭ７には、証明写真モードの状態においては、信号処理回路４で処理された撮像素子３からの出力信号に基づく被写体画像の画像データが所定のタイミング毎に格納される。この画像データに基づき、表示回路１３が表示部１４を駆動することにより、レンズユニット２により撮像素子３上に結像された被写体画像がスルー画像としてＬＣＤからなる表示部１４にて表示される。そして、この表示部１４に表示されたスルー画像上に前記ステップＳ３０８で換算したドット数、例えば図７（ｃ）に示すように、２２ドット毎に１ｃｍであることを示す目盛からなる横目盛１４１と縦目盛１４２とで構成される直角目盛１４４を表示させる。また、このとき、ステップＳ３０４での処理により、証明写真の種類は取得されていることから、横目盛１４１と縦目盛１４２の長さを証明写真の長さとする。さらに、直角目盛１４４の外部に「笑ってはいけない」「背景は白」「ピン止めはしない」等のガイダンスＧも表示する。
【００５８】
次に、シャッターボタンが押下されるまで待機し（ステップＳ３１０）、その間撮影者は、表示部１４を見ながら直交目盛１４４の内側に被撮影者の上半身が適正な範囲で収まるように、カメラ付き携帯１の向き、あるいは被撮影者からの距離等を調整する。そして、直交目盛１４４の内側に適正な範囲で被撮影者の上半身が収まった状態で撮影者がシャッターボタンを操作すると（ステップＳ３１０；ＹＥＳ）、現在設定されている画質モードで撮影処理を実行し（ステップＳ３１１）、スルー画像上に直交目盛１４４が配置された撮影画像の画像データをメモリカード１２に記録する（ステップＳ３１２）。
【００５９】
そして、このようにして証明写真の撮影が終了したならば、カメラ付き携帯１からメモリカード１２を取り外し、ユーザが所有するプリンターにセットする。若しくは、カメラ付き携帯１にメモリカード１２を装着した状態で、Ｉ／Ｏ端子１５にユーザが所有するプリンターを接続し、Ｉ／Ｏポート９及びシリアルＩ／Ｏ端子１５を介して、メモリカード１２に記録されている画像データをプリンターに出力する。
【００６０】
このとき、前述のステップＳ３０９での処理により、画質モード及び印刷サイズに対応する大きさから成る証明写真の直交目盛１４４をスルー画像上に表示し、かつステップＳ３１２での処理より、直交目盛１４４のデータも記録したことから、Ａ４サイズで印刷された画像上には、ステップＳ３０４で選択された証明写真の縦横サイズを有する直交目盛１４４が印刷されるとともに、直交目盛１４４内に適正な大きさ及び範囲で被撮影者の上半身が収まった画像が印刷される。したがって、印刷後、直交目盛１４４に沿って印刷用紙を切断することにより、使用可能な規定のサイズからなり、かつ、適正な範囲で上半身の画像が印刷された証明写真を完成させることができる。
【００６１】
しかも、一般に証明写真のサイズは、低画質モードで撮影して印刷した画像のサイズよりも小さいことから、低画質モードで撮影しておいても証明写真のサイズに支障を来すことはない。よって、低画質モードが設定された場合には、小さいサイズの印刷用紙を使用し、かつ少ないインクで経済的に印刷を行うことができる。
【００６２】
（第４の実施の形態）
図８は、本発明の第４の実施の形態における処理手順を示すフローチャートである。
【００６３】
電源オン状態になると、ＣＰＵ５はＲＯＭ１０に記憶されているプログラムに基づき、図８に示すフローチャートに従って制御を実行する。すなわち、ユーザがキー入力部８で所望の撮影モードを選択することにより撮影モード設定操作を行うと、選択された撮影モードが設定される（ステップＳ４０１）。さらに撮影モードのうち証明写真モードが選択されたか否かを判断し（ステップＳ４０２）、証明写真モードが選択されなかった場合には、選択された撮影モードに応じた撮影処理に移行する。
【００６４】
また、証明写真モードが選択された場合には、画質モードを強制的に低画質モードに切り換える（ステップＳ４０３）。さらに、前述したステップＳ３０４での処理と同様に証明写真の種類を選択する処理を実行する（ステップＳ４０４）。
【００６５】
次に、前記ステップＳ４０１で強制的に設定された低画質モードにおいてメモリカード１２へ記録する画像サイズを取得する（ステップＳ４０５）。したがって、低画質モードにおける画像サイズが２０４８×１５３６（ｄｏｔ）であるならば、これを取得する。
【００６６】
次に、撮影した画像を印刷する際の印刷サイズを取得する（ステップＳ４０６）。このステップＳ４０６での処理に際しては、前述と同様に図７（ｂ）に示したように、表示部１４に「１．Ｌサイズ」〜・・・の印刷サイズ選択メニューを表示し、ユーザがキー入力部８の操作によりこの選択メニューの中からいずれか一つを選択すると、この選択したサイズに決定してＲＡＭ１１に記憶する。このとき、当該ユーザが所有しているプリンターが、例えばＡ４サイズの用紙にのみ印刷可能であるＡ４サイズ専用プリンターである場合には、「２．Ａ４サイズ」を選択する。
【００６７】
引き続き、印刷される画像の１ｍｍ当たりの（記録）ドット数を演算する（ステップＳ４０７）。すなわち、前記ステップＳ４０５で取得されたメモリカード１２へ記録する画像サイズは２０４８×１５３６（ｄｏｔ）であり、また、ステップＳ４０６で取得された印刷サイズが、２８０×２１０（ｍｍ）であるとすると、印刷する画像１ｍｍ当たりの（記録）ドット数は、
１ｍｍ＝２０４８／２８０＝７．３１４（ｄｏｔ）
となり、この「７．３１４（ｄｏｔ）」を印刷１ｍｍ当たりのドット数として算出する。
【００６８】
次に、このステップＳ１０３で演算した印刷１ｍｍ当たりのドット数を、表示部１４における表示ドット数に換算する（ステップＳ４０８）。つまり、前述のように、表示部１４の表示解像度は６４０×４８０（ｄｏｔ）であるので、印刷１ｍｍ当たりのドット数を表示部１４の表示１ｍｍ当たりのドット数に換算すると、
１ｍｍ＝７．３１４×６４０／２０４８＝２．２８５（ｄｏｔ）
となる。さらに、これを表示１ｃｍ当たりのドット数に換算すると、約２２（ｄｏｔ）となる。
【００６９】
次に、選択された証明写真用のガイド目盛をスルー画像上に（ガイダンスを伴って）表示する（ステップＳ４０９）。すなわち、ビデオＲＡＭ７には、証明写真モードの状態においては、信号処理回路４で処理された撮像素子３からの出力信号に基づく被写体画像の画像データが所定のタイミング毎に格納される。この画像データに基づき、表示回路１３が表示部１４を駆動することにより、レンズユニット２により撮像素子３上に結像された被写体画像がスルー画像としてＬＣＤからなる表示部１４にて表示される。そして、この表示部１４に表示されたスルー画像上に前記ステップＳ４０８で換算したドット数、例えば前記図７（ｃ）に示したように、２２ドット毎に１ｃｍであることを示す目盛からなる横目盛１４１と縦目盛１４２とで構成される直角目盛１４４を表示させる。また、このとき、ステップＳ４０４での処理により、証明写真の種類は取得されていることから、横目盛１４１と縦目盛１４２の長さを証明写真の長さとする。さらに、直角目盛１４４の前記ガイダンスＧも表示する。
【００７０】
次に、シャッターボタンが押下されるまで待機し（ステップＳ４１０）、その間撮影者は、表示部１４を見ながら直交目盛１４４内に被撮影者の上半身が適正な範囲で収まるように、カメラ付き携帯１の向き、あるいは被撮影者からの距離等を調整する。そして、直交目盛１４４内に適正な範囲で被撮影者の上半身が収まった状態で撮影者がシャッターボタンを操作すると（ステップＳ４１０；ＹＥＳ）、低画質モードで撮影処理を実行し（ステップＳ４０７）、スルー画像上に直交目盛１４４が配置された低画質モードでの撮影画像の画像データをメモリカード１２に記録する（ステップＳ４１２）。
【００７１】
そして、このようにして証明写真の撮影が終了したならば、カメラ付き携帯１からメモリカード１２を取り外し、ユーザが所有するプリンターにセットする。若しくは、カメラ付き携帯１にメモリカード１２を装着した状態で、Ｉ／Ｏ端子１５にユーザが所有するプリンターを接続し、Ｉ／Ｏポート９及びシリアルＩ／Ｏ端子１５を介して、メモリカード１２に記録されている画像データをプリンターに出力する。
【００７２】
このとき、前述のステップＳ４０５での処理により、画質モードに対応する大きさから成る証明写真の直交目盛１４４をスルー画像上に表示し、かつステップＳ４１２での処理より、直交目盛１４４のデータも記録したことから、印刷された画像上には、ステップＳ４０４で選択された証明写真の縦横サイズを有する直交目盛１４４が印刷されるとともに、直交目盛１４４内に適正な大きさ及び範囲で被撮影者の上半身が収まった画像が印刷される。したがって、印刷後、直交目盛１４４に沿って印刷用紙を切断することにより、使用可能な規定のサイズからなり、かつ、適正な範囲で上半身の画像が印刷された証明写真を完成させることができる。
【００７３】
しかも、一般に証明写真のサイズは、低画質モードで撮影して印刷した画像のサイズよりも小さいことから、低画質モードで撮影しておいても証明写真のサイズに支障を来すことはない。よって、強制的に低画質モードに切り換えて撮影することにより、低画質モードで撮影して印刷するよりも少ないインクで経済的に印刷を行うことができる。
【００７４】
なお、実施の形態においては、画像データに関連付けて印刷サイズ情報をメモリカードに記録するようにしたが、印刷サイズ情報を記録しなくてもよい。この場合、ユーザは撮影時に設定した印刷サイズを覚えておいて、当該印刷サイズ専用のプリンターを使用し、また、使用するプリンターがＬサイズ、Ａ４サイズ、Ｂ５サイズ等のサイズの異なる用紙に印刷可能なものである場合には、覚えておいた印刷サイズを手動でプリンターに設定することになる。
【００７５】
また、第３の実施の形態においては、高画質モードが設定されていた場合は、スルー画像上に表示される直交目盛１４４の大きさがかなり小さくなってしまい、撮影画像上の極めて少ない部分のみが必要となるので、当該部分のみを抽出して記録するようにしてもよい。これより、不要な部分の印刷を回避してインクを節約することができる。
【００７６】
さらに、第４の実施の形態においては、証明写真モードを選択した時点で画質モードを低画質モードに切り換えるようにしたが、証明写真の種類を選択した時点で証明写真の種類に応じた画質モードに自動的に切り換えるようにしてもよい。これにより、証明写真の種類によって必要とする印刷サイズが大きく異なる場合であっても、必要な印刷サイズを確保し得るサイズの画像を記録することができる。
【００７７】
また、第３、第４の実施の形態においては、いずれも証明写真用の直交目盛１４４外にもスルー画像を表示させるようにしたが、直交目盛１４４内のみスルー画像を表示させるようにしてもよい。
【００７８】
また、第３、第４の実施の形態においては、いずれもビザ用、パスポート用等の証明写真を撮影するための証明写真モードに本発明を適用した場合について説明したが、本発明はこれに限るものではなく、ハート形状、円形、テープ（ビデオ）ラベル形状、ディスクラベル形状、名刺形状等のフレーム（目盛１４４）をスルー画像上に表示して撮影モードに適用してもよく、必要とする印刷サイズが決まっているものであれば本発明を適用することができる。
【００７９】
また、第１、第２、第３、第４の実施の形態においては、いずれも本発明をカメラ付き携帯に適用した場合について説明したが、本発明はこれに限るものではなく、他にもデジタルスチルカメラ、カメラ付きＰＤＡ（Ｐｅｒｓｏｎａｌ  Ｄｉｇｉｔａｌ  Ａｓｓｉｓｔａｎｔｓ：携帯情報端末）、カメラ付きパーソナルコンピュータ、等に適用することも容易に可能であり、撮像機能が搭載された装置であればいずれにも適用することができる。
【図面の簡単な説明】
【００８０】
【図１】本発明の各実施の形態に共通するカメラ付き携帯の概略ブロック構成図である。
【図２】本発明の第１の実施の形態における処理手順を示すフローチャートである。
【図３】同実施の形態における表示画面例を示す図である。
【図４】同実施の形態における表示画面例を示す図である。
【図５】本発明の第２の実施の形態における処理手順を示すフローチャートである。
【図６】本発明の第３の実施の形態における処理手順を示すフローチャートである。
【図７】同実施の形態における表示遷移図である。
【図８】本発明の第４の実施の形態における処理手順を示すフローチャートである。
【符号の説明】
【００８１】
１    カメラ付き携帯
３    撮像素子
４    信号処理回路
５    ＣＰＵ
７    ビデオＲＡＭ
８    キー入力部
９    Ｉ／Ｏポート
１０    ＲＯＭ
１１    ＲＡＭ
１２    メモリカード
１３    表示回路
１４    表示部
１５    シリアルＩ／Ｏ端子
１４４    直交目盛
Ｇ    ガイダンス
Ｐ    印刷サイズ
Ｓ    スルー画像
【図１】
0004827159.tif 000002
【図２】
0004827159.tif 000003
【図３】
0004827159.tif 000004
【図４】
0004827159.tif 000005
【図５】
0004827159.tif 000006
【図６】
0004827159.tif 000007
【図７】
0004827159.tif 000008
【図８】
0004827159.tif 000009